(57)【要約】【課題】テレビジョン受像機の異常検出の種類を識別しやすくするための異常表示方法を提供する。【解決手段】チューナ部とモニタ部の二体型構成のテレビジョン受像機において、チューナ部で異常を検出し、異常内容をモニタ部に通知し、モニタ部でチューナ部の異常内容を表示する手段を備えることで、異常検出の種類を識別しやすくする。これにより、表示部において、エラーの内容、例えば、チューナ部の復調部において電源異常が生じた等の表示を行うことが可能になり、ユーザーは一見して、エラーの内容を把握することが可能になるとともに、その他の構成については電源がＯＦＦされていることから、電源異常に対しても適切な処理を行うことが可能になるものである。【選択図】図１
2010252223.tif 000002
【特許請求の範囲】
【請求項１】
チューナ部とモニタ部の二体型構成のテレビジョン受像機において、チューナ部で異常を検出し、異常内容をモニタ部に通知し、モニタ部でチューナ部の異常内容を表示する手段を備えたテレビジョン受像機。
【請求項２】
前記異常表示手段に、チューナ部の異常内容に応じてモニタ部の表示を変更する手段をさらに備えた請求項１記載のテレビジョン受像機。
【請求項３】
チューナ部とモニタ部の二体型構成のテレビジョン受像機において、チューナ部で異常を検出し、異常内容をモニタ部に通知し、モニタ部でチューナ部の異常内容を表示するステップを備えたテレビジョン受像機における異常検出方法。
【請求項４】
前記異常表示手段に、チューナ部の異常内容に応じてモニタ部の表示を変更するステップをさらに備えた請求項１記載のテレビジョン受像機における異常検出方法。
【発明の詳細な説明】
【技術分野】
【０００１】
本発明は、例えば、チューナ部とモニタ部が別装置により構成されている二体型の装置における異常検出装置及び異常検出方法に関する。
【背景技術】
【０００２】
従来、テレビジョン受像機の異常検出時は、安全のため電源をオフしランプを点滅させる方法と、異常の種類に応じてランプの点滅回数を変える方法が知られている（例えば、特許文献１等）。
【先行技術文献】
【特許文献】
【０００３】
【特許文献１】特開平１１−２２０６７８号公報
【発明の概要】
【発明が解決しようとする課題】
【０００４】
しかしながら、チューナ部とモニタ部の二体型構成のテレビジョン受像機では、異常検出の種類が増加し、それに伴いランプの点滅回数も増加しているため、点滅回数を誤って数える可能性があるという課題があった。例えば、異常検出の種類が２０種類の場合、ランプ点滅回数が最大２０回となる。
また、上述した従来の技術においては、例えば、テレビジョン受像機の異常検出時において、テレビジョン受像機のモニタにエラー表示を行うことも考えられるが、この場合には、モニタに高電圧を印加する必要があり、例えば、電源異常が検出されている場合に、モニタに電源を供給することは適切ではない。従って、この場合には、ユーザーに対して、エラー表示を行うことができないという問題も生じる。
【０００５】
本発明は、かかる状況に鑑みて、生じている異常状態の内容に応じて、異常検出の種類を識別しやすくするための異常表示装置及び異常表示方法を提供することを目的とする。
【課題を解決するための手段】
【０００６】
上記課題を解決するため、本発明の二体型テレビジョン受信機は、チューナ部で異常を検出し、異常内容をモニタ部に通知し、モニタ部でチューナ部の異常内容を表示する手段を備えたことを特徴とする。例えば、チューナ部で異常Ａを検出した場合、異常Ａの情報をモニタ部に通知し、モニタ部で異常Ａ発生の表示を行うことで、チューナ部の異常内容をモニタ部に表示することが可能となる。
【発明の効果】
【０００７】
以上のように、本発明の二体型テレビジョン受像機によれば、異常検出の種類を識別しやすくすることが可能となる。また、チューナ部においては、モニタ部への通知を行う際に必要な回路にのみ電源を供給すればよく、電源異常が生じた場合であっても、適切にユーザーにエラー内容を表示することが可能になるものである。
【図面の簡単な説明】
【０００８】
【図１】本発明の二体型テレビジョン受像機を示すブロック図
【図２】本発明のチューナ部における処理手順を示すフローチャート
【図３】本発明モニタ部における処理手順を示すフローチャート
【図４】本発明の二体型テレビジョン受像機を示すブロック図
【図５】本発明のチューナ部における処理手順を示すフローチャート
【図６】本発明モニタ部における処理手順を示すフローチャート
【図７】本発明の電源制御部における処理内容を示す図
【発明を実施するための形態】
【０００９】
（実施例１）
実施例１について、図１から図３を参照しながら説明する。図１は本発明の実施の形態１による二体型テレビジョン受像機の構成を示すブロック図である。
【００１０】
チューナ部１０１は、異常検出を行う異常検出部１０２と、異常内容をモニタ部１０５に通知する対モニタ通信部１０３と、前記異常検出部１０２、対モニタ通信部１０３を制御するチューナ部マイクロコンピュータ１０４で構成されている。
【００１１】
モニタ部１０５は、チューナ部１０１から通知される異常内容を受信する対チューナ通信部１０６と、異常内容をモニタに表示する表示部１０７、前記対チューナ通信部１０６と、表示部１０７を制御するチューナ部マイクロコンピュータ１０８で構成されている。
【００１２】
次に、本実施の形態１による二体型テレビジョン受像機のチューナ部の異常検出時の動作を図２に示すフローチャートを用いて説明する。
【００１３】
チューナ部マイクロコンピュータ１０４の制御により、異常検出の有無の判定を行い、異常検出有りの場合（ステップ２０１で「Ｙ」）、異常内容を取得し（ステップ２０２）、異常内容をモニタ部に通知する（ステップ２０３）。異常検出無しの場合（ステップ２０１で「Ｎ」）、何も行わない。
【００１４】
次に、本実施の形態１による二体型テレビジョン受像機のモニタ部の異常検出時の動作を図３に示すフローチャートを用いて説明する。
【００１５】
モニタ部マイクロコンピュータ１０８の制御により、チューナ部からの異常通知の有無の判定を行い、異常通知有りの場合（ステップ３０１で「Ｙ」）、異常内容を受信し（ステップ３０２）、異常内容を表示する（ステップ３０３）。異常通知無しの場合（ステップ３０１で「Ｎ」）、何も行わない。
【００１６】
以上のように、二体型テレビジョン受像機は、異常検出の種類を識別しやすくすることが可能となる。
【００１７】
なお、本実施例では、コンピュータプログラムによってそれぞれの手段が制御されることで実現したが、このコンピュータプログラムをＤＶＤ等の記録媒体に記録しておくことにより、移送が可能となり、独立した他のテレビジョン受像機においても容易に実施することが可能である。
（実施例２）
実施例２について、図４から図７を参照しながら説明する。なお、上述した実施例１と同じ内容については、重複した内容となるため、その説明を省略する。ここで、実施例１と実施例２とが異なる部分は、実施例２は、実施例１に加えて、チューナ部１０１に電源制御部４００及びＬＥＤ発光部４０２を設けた点である。以下この点を中心に説明する。
【００１８】
電源制御部４００は、異常検出部１０２により異常を検出した場合に、検出した異常の内容に応じて、チューナ部１０１及びモニタ部１０５を構成する各回路に対する電源供給を制御する。ここで、検出した異常の内容とは、例えば、異常な電源が供給されている場合の他、ソフトウェアのバグによりエラーが生じている場合、モニタとの通信にエラーが生じている場合等、チューナ部１０１において生じるあらゆるエラーを意味している。また、チューナ部１０１において生じるエラーのみならず、モニタ部１０５において生じるあらゆるエラーも対象とするものである。
【００１９】
次に、図５から図７を参照しながら、電源制御部４００の動作について説明する。チューナ部マイクロコンピュータ１０４の制御により、異常検出の有無の判定を行い、異常検出有りの場合（ステップ２０１で「Ｙ」）、異常内容を取得し（ステップ２０２）、次に、ステップ２０２において取得した異常内容に応じた電源制御を行う（ステップ５００）。異常内容に応じた処理を行う（ステップ５０３）。一方、異常検出無しの場合（ステップ２０１で「Ｎ」）、何も行わない。
【００２０】
ここで、電源制御の詳細について、図７を参照しながら説明する。図７は、電源制御部４００が備えるメモリ（図示せず）の内容を記載している。ここで、図７に示すように、メモリには、エラーの種別に応じて、チューナ部１０１及びモニタ部１０５の各構成の電源のＯＮ／ＯＦＦが記載されている。
例えば、エラー１は、チューナ部１０１に電源異常が生じた場合を示しており、エラー２は、チューナ部１０１の通信部に異常が生じた場合を示しており、エラー３は、ＬＥＤ発光部４０２に異常が生じた場合を示しており、エラー４は、モニタ部１０５の表示部１０７に異常が生じた場合又はモニタ部１０５において電源異常が生じた場合を示しており、エラー５は、モニタ部１０５の通信部に異常が生じた場合を示している。
図７に示すように、チューナ部１０１に電源異常が生じた場合（エラー１）においては、チューナ部１０１においては、復調部及びＬＥＤの電源がＯＦＦとなり、一方、通信部の電源がＯＮとなる。さらに、モニタ部１０５においては、表示部及び通信部の電源がＯＮとなる。このような制御により、チューナ部１０１においては、図１における対モニタ通信部１０３から、モニタ部１０５の対チューナ通信部１０６を介して、表示部１０７において、エラーの内容、例えば、チューナ部１０１の復調部において電源異常が生じた等の表示を行うことが可能になり、ユーザーは一見して、エラーの内容を把握することが可能になるとともに、比較的高電圧が必要となる復調部の電源がＯＦＦされていることから、電源異常に対しても適切な処理を行うことが可能になるものである。
さらに、図７に示すように、チューナ部１０１の通信部に異常が生じた場合（エラー２）においては、チューナ部１０１においては、復調部及び通信部の電源がＯＦＦとなり、一方、ＬＥＤ発光部の電源がＯＮとなる。このような制御により、仮に、通信部に異常な状態が生じた場合であっても、チューナ部１０１においては、ＬＥＤ発光部４０２を介して、ユーザーはエラーの内容を把握することが可能になるものである。また、モニタ部１０５においては、所定時間後に表示部と通信部の電源をＯＦＦする処理を行うことも可能である。これにより、省エネルギー化を実現することが可能になるものである。
【００２１】
さらに、図７に示すように、ＬＥＤ発光部４０２に異常が生じた場合（エラー３）においては、チューナ部１０１においては、復調部及び通信部の電源がＯＮとなり、一方、ＬＥＤ発光部の電源がＯＦＦとなる。さらに、モニタ部１０５においては、表示部及び通信部の電源がＯＮとなる。このような制御により、仮にＬＥＤ発光部４０２に異常が生じた場合であっても、図１における対モニタ通信部１０３から、モニタ部１０５の対チューナ通信部１０６を介して、表示部１０７において、エラーの内容、例えば、チューナ部１０１のＬＥＤ発光部４０２において異常が生じた等の表示を行うことが可能になるものである。なお、この際には、復調部、対モニタ通信部１０３、対チューナ通信部１０６、表示部１０７のいずれも電源が供給されていることから、通常通り、映像を表示することが可能になるものである。
【００２２】
さらに、図７に示すように、モニタ部１０５の表示部１０７に異常が生じた場合又はモニタ部１０５において電源異常が生じた場合（エラー４）においては、チューナ部１０１においては、復調部及び通信部の電源がＯＦＦとなり、一方、ＬＥＤ発光部の電源がＯＮとなる。さらに、モニタ部１０５においては、表示部及び通信部の電源がＯＦＦとなる。このような制御により、表示部１０７に異常が生じた場合であっても、チューナ部１０１においては、ＬＥＤ発光部４０２を介して、ユーザーはエラーの内容を把握することが可能になるものである。さらに、チューナ部１０１の復調部及び通信部の電源をＯＦＦすることにより、省エネルギー化を図ることも可能になるものである。
【００２３】
さらに、図７に示すように、モニタ部１０５の通信部に異常が生じた場合（エラー５）においては、上述したエラー４の場合と同様に、チューナ部１０１においては、復調部及び通信部の電源がＯＦＦとなり、一方、ＬＥＤ発光部の電源がＯＮとなる。さらに、モニタ部１０５においては、表示部及び通信部の電源がＯＦＦとなる。このような制御により、通信部に異常が生じた場合であっても、チューナ部１０１においては、ＬＥＤ発光部４０２を介して、ユーザーはエラーの内容を把握することが可能になるものである。さらに、チューナ部１０１の復調部及び通信部の電源をＯＦＦすることにより、省エネルギー化を図ることも可能になるものである。
【００２４】
なお、上述した設定は一例であり、その他の設定にすることも可能である。また、ユーザーがリモコン等を用いて、その設定を変更することも可能である。また、新たなエラー種別についても追加することも可能である。
【００２５】
次に、図５に示すように、ステップ２０２で取得したエラーの種別に基づいて、ステップ５００においてエラーの種別に対応する電源制御のコマンドを生成し、そのステップ５００で生成したコマンドに基づいて、上述したように、チューナ部１０１及びモニタ部１０５の各構成の電源の制御を行う（ステップ５０３）。
【００２６】
一方、図６に示すように、モニタ部１０５においても、上述した電源制御のコマンドに基づいて、対チューナ通信部１０６及び表示部１０７等の電源制御を行う（ステップ６０３）。
このような構成により、異常の生じた内容に応じて、適切に対応する回路の電源を制御することが可能になるものである。
【産業上の利用可能性】
【００２７】
本発明のテレビジョン受像機は、例えば、チューナ部とモニタ部が別装置により構成されている二体型の装置における異常検出装置及び異常検出方法において有用である。
【符号の説明】
【００２８】
１０１    チューナ部
１０２    異常検出部
１０３    対モニタ通信部
１０４    チューナ部マイクロコンピュータ
１０５    モニタ部
１０６    対チューナ通信部
１０７    表示部
１０８    モニタ部マイクロコンピュータ
４００    電源制御部
４０２    ＬＥＤ発光部
【図１】
2010252223.tif 000003
【図２】
2010252223.tif 000004
【図３】
2010252223.tif 000005
【図４】
2010252223.tif 000006
【図５】
2010252223.tif 000007
【図６】
2010252223.tif 000008
【図７】
2010252223.tif 000009